(57)【特許請求の範囲】
【請求項１】
主軸の先端部に装着された状態で回転駆動される工具を有してなる工具部に、絶縁体を介して装着される工具側電極と、
この工具側電極と所定の間隔を有して静電結合するように配置される固定側電極と、
出力端子の一端が前記固定側電極に接続され、他端が前記工具によって加工される導電性材料よりなる被加工物側に接続され、出力端子間に高周波信号を出力する高周波信号出力手段と、
前記工具側電極と前記工具部との間に接続される整流素子とを備え、
前記工具の変位状態と、前記高周波信号出力手段により出力される高周波信号の状態とに基づいて、前記工具の状態を検知することを特徴とする工具状態検知装置。
【請求項２】
前記工具の状態として、工具の折損を検知することを特徴とする請求項１記載の工具状態検知装置。
【請求項３】
前記固定側電極側に、高周波信号の伝送線路のインピーダンスを調整するためのインピーダンス調整手段を配置したことを特徴とする請求項２記載の工具状態検知装置。
【請求項４】
前記高周波信号出力手段側における電圧定在波比を測定することで、前記工具の状態を検知することを特徴とする請求項３記載の工具状態検知装置。
【請求項５】
前記整流素子を、前記絶縁体の内部に埋め込んだ状態で配置することを特徴とする請求項１乃至３の何れかに記載の工具状態検知装置。
【請求項６】
前記固定側電極と前記工具側電極との間に圧縮空気を送出するための、圧縮空気送出手段を備えたことを特徴とする請求項１乃至５の何れかに記載の工具状態検知装置。
【発明の詳細な説明】
【０００１】
【発明の属する技術分野】
本発明は、主軸の先端部に装着された状態で回転駆動される工具の状態を検知する工具状態検知装置に関する。
【０００２】
【発明が解決しようとする課題】
被加工物を加工する所謂マシニングセンタなどの工作機械は、無人の状態で運転されることが多い。従って、加工に使用される工具に例えば折損が発生した場合には、その状態を自動的に検出して工具を交換する必要がある。
【０００３】
従来、工具の状態として折損を検知する方式には様々なものがある。例えば、加工が終了した後、工具がツールマガジンに収納された状態で、スイングバー式のリミットスイッチを用いて検知する機械検知型や、工具の折損によりスピンドル（主軸）が無負荷となることで、消費電力が変化することに基づいて検知する電力検知型などがある。
【０００４】
しかしながら、機械検知型のものでは加工の全工程が終了した後に検知を行うため、加工の途中で工具が折損した場合は、その状態で被加工物の加工が行なわれてしまう可能性がある。すると、工具の折損状態が悪化したり、被加工物の加工不良が発生するおそれがある。
【０００５】
また、電力検知型では、加工時におけるスピンドルの負荷が小さく消費電力量も小さい場合には、工具が折損した場合の電力変化量も小さいため、検知を行なうことができない。例えば、定格２２ｋＷのスピンドルでφ２のドリル穴加工を行った場合には、工具の折損による電力変化の差が現れない。
【０００６】
本発明は上記事情に鑑みてなされたものであり、その目的は、加工の途中であっても、また、負荷が小さい場合でも、工具の状態を確実に検出することができる工具状態検知装置を提供することにある。
【０００７】
【課題を解決するための手段】
上記目的を達成するため、請求項１記載の工具状態検知装置は、主軸の先端部に装着された状態で回転駆動される工具を有してなる工具部に、絶縁体を介して装着される工具側電極と、
この工具側電極と所定の間隔を有して静電結合するように配置される固定側電極と、
出力端子の一端が前記固定側電極に接続され、他端が前記工具によって加工される導電性材料よりなる被加工物側に接続され、出力端子間に高周波信号を出力する高周波信号出力手段と、
前記工具側電極と前記工具部との間に接続される整流素子とを備え、
前記工具の変位状態と、前記高周波信号出力手段により出力される高周波信号の状態とに基づいて、前記工具の状態を検知することを特徴とする。
【０００８】
即ち、高周波信号出力手段によって出力される高周波信号は、固定側電極から静電結合により工具側電極に供給されると、整流素子により直流信号に整流されて工具部に印加される。そして、主軸の回転が停止している場合、主軸とその主軸を支承するヘッド（ハウジング）との間はベアリングを介して導通接触しているため、前記直流信号の抵抗、即ち、工具（部）→主軸→ベアリング→ヘッド→コラム（支持柱）→ベッド（基盤）→テーブル→被加工物、といった経路における直流抵抗は０Ωに近い値となっている。
【０００９】
一方、主軸が回転する場合は、ベアリングのボール若しくはローラは油膜に覆われるため、その油膜がキャパシタンスをなすことで前記直流信号の抵抗は極めて大きな状態となるが、工具と被加工物とが接触するとその部分が短絡状態となる。
【００１０】
このように、工具と被加工物とが接触しているか否かに応じて測定系のインピーダンスが変化するため、その変化の影響を受けて、高周波信号出力手段側において高周波信号の出力状態が変化する。従って、工具の変位に伴う高周波信号の変化を参照すれば、工具の状態を検知することができる。そして、工具による被加工物の加工が行われている途中であっても状態の検知が可能であり、また、工具にかかる負荷が小さい場合でも検知することができる。
【００１１】
更に、固定側電極と工具側電極とが静電結合することで、高周波信号を、工具側に対して非接触状態で供給することができるので、工具側が回転することに伴って磨耗するような部材が無く、安定した状態で供給することができる。
【００１２】
この場合、請求項２に記載したように、前記工具の状態として、工具の折損を検知することが好適である。即ち、工具が折損した状態で被加工物の加工が行われると、加工不良が発生する可能性が高いので、本発明によれば工具の折損を速やかに検知して対応することができる。
【００１３】
また、請求項３に記載したように、前記固定側電極側に、高周波信号の伝送線路のインピーダンスを調整するためのインピーダンス調整手段を配置するのが好ましい。即ち、伝送線路のインピーダンスを調整して整合を取るようにすれば、高周波信号を反射が生じない状態にして工具側に伝送することができるので、変化状態の観測を容易に行なうことができる。
【００１４】
この場合、請求項４に記載したように、前記高周波信号出力手段側における電圧定在波比を測定することで、前記工具の状態を検知すると良い。即ち、工具と被加工物とが接触した状態における測定系のインピーダンスを予め整合させておけば、例えば工具の状態が変化することで被加工物と接触すべき位置で接触しなくなった場合は、前記インピーダンスが整合状態から外れて反射波が発生する。従って、その反射波の発生を、電圧定在波比を測定することで検出すれば、工具の状態を容易に検知することができる。
【００１５】
更に、請求項５に記載したように、前記整流素子を、前記絶縁体の内部に埋め込んだ状態で配置すると良く、斯様に構成すれば、整流素子を工具側電極と工具部との間に容易に接続することができる。また、主軸を回転させて加工を行う場合に、振動などにより整流素子が脱落することを防止できる。
【００１６】
加えて、請求項６に記載したように、前記固定側電極と前記工具側電極との間に圧縮空気を送出するための圧縮空気送出手段を備えることが好ましい。即ち、固定側電極と工具側電極とは、静電結合されるように所定の間隔を有して配置されるため、両者の隙間にクーラント液や加工により発生する切削屑などが入ると短絡するおそれがあり、測定系のインピーダンスが変化して状態検知を正確に行えなくなる場合がある。従って、圧縮空気送出手段によって両電極間に圧縮空気を送出すれば、切削屑などが入ることを防止できる。
【００１７】
【発明の実施の形態】
以下、本発明の一実施例について図面を参照して説明する。図１は、工作機械の構成を概略的に示すと共に、本発明の工具状態検知装置の構成を示すものである。工作機械５０の主軸装置１は、例えば、中空円筒状のヘッド（ハウジング）２内に、スピンドル（主軸）３とそのスピンドル３を回転駆動させる誘導モータ４とを内蔵するビルトインタイプとして構成されている。スピンドル３の先端部分及び中間部分は、玉軸受５及び６によってヘッド２に対して回転自在に支承されている。尚、ヘッド２及びスピンドル３は、いずれも鉄系材料で構成されている。
【００１８】
玉軸受５及び６によって支承されている部分の略中間に位置する部位のスピンドル３側には、コア及びかご形巻線（エンドリング）からなるロータ７が配設され、ヘッド２の内周部には、上記コアと所定ギャップを以て対向するコア及び巻線（コイルエンド）からなるステータ８が配設されることにより、前述の誘導モータ４が構成されている。
【００１９】
スピンドル３の内部には、周知の機構であるドローバー９，そのドローバー９の先端側に配置されたチャック機構及び図示しないドローバースプリング等が配設されている。一方、切削加工用の工具１２は、ツールホルダ１３に取付けられており、そのツールホルダ１３は、上端部にプルスタッド１４を備えている。そして、スピンドル３側のドローバー９が図示しない駆動機構によって軸方向に変位することにより、スピンドル３内部で、チャック機構がツールホルダ１３のプルスタッド１４を鋼球を介して把持することで、工具１２がスピンドル３の先端部に取付けられるようになっている。尚、工具１２とツールホルダ１３とは、工具部１５を構成している。
【００２０】
工作機械５０は、ベッド５１上にサドル５２及びテーブル５３が配置されており、テーブル５３上に導電性材料よりなる被加工物５４が載置される。また、ベッド５１上には、コラム５５が立設されており、そのコラム５５は、主軸装置１を支持するようになっている。
【００２１】
また、コラム５５と主軸装置１との間には、図示しない駆動機構が存在しており、主軸装置１を上下方向に変位させて工具１２により被加工物５４の加工を行なうようになっている。尚、ベッド５１、サドル５２、テーブル５３及びコラム５５も、鉄系材料によって構成されている。
【００２２】
ところで、ベッド５１上のサドル５２とテーブル５３とは、各々油膜を介した状態にあるため電気的には非接触となっているが、これらの接触面積は比較的大きく、また、テーブル５３のサドル５２に対する移動速度は小さいため、直流抵抗値は小さい（設備によって異なるが、大体１ｋΩ以下である）。
【００２３】
図２（ａ）には、工具部１５の拡大図を示す。ツールホルダ１３の外周部には、リング状の工具側電極１７が同じくリング状の絶縁体１６を介して配置されている。そして、絶縁体１６の内部には、アノードが工具側電極１７に接続され、カソードがツールホルダ１３に接続されるダイオード（整流素子）１８が埋設されている。尚、図１においては、理解を容易にするためダイオード１８を外部に出して図示している。
【００２４】
また、工具側電極１７の外側には、所定の間隔を有して、円弧状を成す固定側電極１９が配置されている。この固定側電極１９は、例えば、ヘッド２に固定支持されるようになっている。尚、図２（ｂ）には、２つの電極１７，１９の配置関係を断面図で示している。
【００２５】
そして、高周波信号出力装置（高周波信号出力手段）２０の出力端子の一端はＳＷＲ(Standing Wave Ratio）メータ２１を介して固定側電極１９に接続され、他端は主軸装置１のテーブル５３（機械側アース）に接続されている。高周波信号出力装置２０は、例えば１００ＭＨｚの高周波信号を出力する。即ち、１００ＭＨｚの高周波信号は２，３ｐＦ程度の容量でも静電結合により伝送可能であり、また、ＦＭ帯でも使用されていないためノイズが少ない。
【００２６】
また、固定側電極１９側には、測定系の線路のインピーダンスを調整するためのインピーダンス調整部（インピーダンス調整手段）２２が設けられている。即ち、図３に等価回路で示すように、高周波信号出力装置２０の出力端子の一端は、コイル２３及びトリマコンデンサ２４を介して固定側電極１９に接続されており、また、両出力端子間にもトリマコンデンサ２５が接続されている。そして、これらのコイル２３及びコンデンサ２４，２５がインピーダンス調整部２２を構成している。
尚、このインピーダンス調整部２２は、その一部または全部を固定側電極１９に取り付けて一体に構成しても良いし、高周波信号出力装置２０の出力端子と固定側電極１９との間に配置しても良い。
【００２７】
圧縮空気送出装置（圧縮空気送出手段）２６は、固定側電極１９側から２つの電極１７，１９の間に乾燥圧縮空気を送出するものである。即ち、工具１２によって被加工物５４の加工を行なう際には、切削屑が生じたり、或いは冷却用のクーラント液が図示しない供給手段によって供給される。これらが電極１７，１９の間に入ると両者が短絡する可能性があることから、その防止のために乾燥圧縮空気を送出するようになっている。
【００２８】
即ち、図４に示すように、固定側電極１９は、例えば樹脂製の固定側電極部２７に取り付けられている。固定側電極部２７は、径方向に厚みを有する円弧状に形成されており、工具側電極１７と対向する面側には、例えば深さ１ｍｍ程度の溝２８が形成されている。そして、固定側電極１９は、溝２８に貼り付けられている。
【００２９】
また、固定側電極部２７の図４（ｂ）中左方側には貫通孔２９が設けられており、圧縮空気送出装置２６より送出された圧縮空気は、この貫通孔２９を介して工具側電極１７と固定側電極１９との間に供給される。尚、工具側電極１７と固定側電極部２７とのクリアランスは、例えば０．５ｍｍ程度である。また、溝２８及び貫通孔２９も圧縮空気送出手段を構成している。
【００３０】
次に、本実施例の作用について図５をも参照して説明する。図５（ａ）は、測定系の構成を、電気的接続関係を中心として示すもので、図５（ｂ）は、その等価回路を示すものである。コンデンサＣ１は、固定側電極１９と工具側電極１７との間における静電結合の容量成分であり、ダイオード１８のカソード側の抵抗Ｒ１は、工具部１５が有している抵抗分である。スイッチＳＷは、工具１２と被加工物５４との間の接触、非接触状態に対応するものである。
【００３１】
また、抵抗Ｒ２は、スピンドル３の回転が停止している場合における、玉軸受５及び６部の抵抗分であり、コンデンサＣ２は、スピンドル３が回転している場合における、スピンドル３とヘッド２との間の容量分である。
【００３２】
即ち、スピンドル３の回転が停止している場合の直流抵抗は０Ωに近い値であるが、スピンドル３が回転する場合は、玉軸受５，６におけるベアリングのボールは油膜に覆われるため、その油膜がキャパシタンスＣ２をなす。この場合の直流抵抗は、設備によって異なるが例えば２０ｋ〜３０ｋΩ程度である。そして、抵抗Ｒ３は、ヘッド２、ベッド５１、サドル５２、テーブル５３及びコラム５５などが有する抵抗分である。
尚、ダイオード１８のカソード側には、高周波チョークコイル（平滑手段）３０が介挿されているが、このチョークコイル３０はダイオード１８によって整流された信号を平滑する目的で設けられている。
【００３３】
図５（ｂ）において、工具１２と被加工物５４との間が非接触状態でスイッチＳＷが開いており、且つ、スピンドル３の回転が停止している場合、高周波信号出力装置２０により出力される高周波信号は、コンデンサＣ１，ダイオード１８，抵抗Ｒ２，Ｒ３の実線で示す経路で流れ、スピンドル３が回転すると、上記経路における抵抗Ｒ２がコンデンサＣ２に置き換わる。
【００３４】
そして、その状態から、工具１２と被加工物５４との間が接触状態となり、スイッチＳＷが閉じると、高周波信号は、コンデンサＣ１，ダイオード１８，抵抗Ｒ１，スイッチＳＷの破線で示す経路で流れる。よって、この状態で測定系の線路インピーダンスが整合するように、インピーダンス調整部２２により予め調整を行なっておく。
【００３５】
即ち、工具１２が健全であれば、主軸１を所定位置まで下降させた時に工具１２の先端が被加工物５４に接触して両者は電気的に接続され、スイッチＳＷが閉じることなる。一方、工具１２が折損した場合は、主軸１を所定位置まで下降させても工具１２の先端は被加工物５４に接触しなくなるので、両者は電気的に接続されることがない。従って、スイッチＳＷは開いたままとなるので、伝送線路のインピーダンスは整合せず、反射が生じる状態となる。すると、反射波によって伝送線路に定在波が発生するようになり、その状態はＳＷＲメータ２１によって観測することができる。
【００３６】
実際の使用形態を考慮すれば、被加工物５４の加工が終了した後、主軸装置１を引き上げる際に、工具１２の先端が上記所定位置に達した時点で接触があるか否かによって折損を検知すれば良い。
【００３７】
以上のように本実施例によれば、スピンドル３の先端部に装着された状態で回転駆動される工具１２を有してなる工具部１５に絶縁体１６を介して工具側電極１７を装着し、工具側電極１７と工具部１５との間にダイオード１８を接続して、工具側電極１７と被加工物５４との間に高周波信号出力装置２０により高周波信号を出力する。そして、工具１２が被加工物５４に接触する位置に変位した場合における高周波信号の状態に基づいて工具１２の折損を検知するようにした。
【００３８】
即ち、工具１２が折損している場合は、工具１２が被加工物に接触する位置に変位しても両者が接触しなくなり測定系のインピーダンスが変化するので、その変化の影響を受けて、高周波信号の出力状態が変化する。従って、その時の変化状態により工具１２の折損を検知することができる。そして、被加工物５４の加工が行われている途中であっても折損の速やかな検知が可能であり、また、工具１２にかかる負荷が小さい場合でも折損を検知することができる。
【００３９】
また、工具側電極１７と所定の間隔を有して静電結合するように配置される固定側電極１９を備えたので、高周波信号を、工具１２側に対して非接触状態で供給することが可能となり、工具１２側が回転することに伴って磨耗するような部材が無く、安定した状態で供給を行なうことができる。
【００４０】
また、固定側電極１９側に、高周波信号の伝送線路のインピーダンスを調整するためのインピーダンス調整部２２を配置したので、伝送線路のインピーダンスを整合させることで高周波信号を反射が生じない状態にして工具１２側に伝送できるので、変化状態の観測を容易に行なうことができる。そして、ＳＷＲメータ２１によって、高周波信号出力装置２０側における電圧定在波比を測定することで工具１２の折損を容易に検知することができる。
【００４１】
更に、ダイオード１８を、絶縁体１６の内部に埋め込んだ状態で配置したので、ダイオード１８を工具側電極１７と工具部１５との間に容易に接続することができる。また、スピンドル３を回転させて加工を行う場合に、振動などによりダイオード１８が脱落することを防止できる。
【００４２】
加えて、固定側電極１９と工具側電極１７との間に圧縮空気を送出するための圧縮空気送出装置２３を設けたので、両者の隙間にクーラント液や加工により発生する切削屑などが入って短絡が発生することを防止できる。
【００４３】
本発明は上記し且つ図面に記載した実施例にのみ限定されるものではなく、次のような変形または拡張が可能である。
ダイオード１８のカソードは、工具１２に直接接続しても良い。
整流素子は、固定を確実に行って脱落するおそれがないような場合は、必ずしも絶縁体の内部に埋設する必要はない。
折損の検出は、必ずしも電圧定在波比を検出することで行う必要はなく、その他、例えば電圧振幅の変化や、或いは伝送電力量の変化等を観測することで検出しても良い。
他の対策などによって、固定側電極１９と工具側電極１７との間にクーラント液や切削屑などが入るおそれがない場合は、圧縮空気送出装置２３を設けなくても良い。
ビルトインタイプの主軸装置に限らず、主軸装置の外部にモータが配置されるものであっても良い。
【００４４】
工具の状態としては、折損を検知するものに限ることなく、その他、例えば以下のようにして、工具の長さや幅、或いは工具の振れなどを検出することも可能である。工具の長さは、その先端が被加工物に接触した時点における主軸装置の変位量で検知することができ、工具の幅は、工具が幅方向に変位する場合に同様にして検知できる。また、工具の振れは、振れ幅の許容範囲に対応する位置に被加工物側に電気的に接続される導体板を配置しておけば、その導体板に工具が接触することで振れ幅が許容範囲一杯になったことが検知できる。
更に、被加工物の状態、例えば加工後の寸法を測定することに適用しても良い。即ち、これについても、工具が被加工物に接触した時点における主軸装置の変位量で検知することが可能である。
【００４５】
【発明の効果】
本発明は以上に説明した通りであり、以下の効果を奏する。
請求項１記載の工具状態検知装置によれば、主軸の先端部に装着された状態で回転駆動される工具を有してなる工具部に、絶縁体を介して工具側電極を装着し、工具側電極と静電結合するように配置される固定側電極と被加工物側との間に高周波信号を出力し、工具の変位状態と高周波信号出力手段により出力される高周波信号の状態とに基づいて工具の状態を検知するようにした。
【００４６】
即ち、工具と被加工物とが接触しているか否かに応じて測定系のインピーダンスが変化するため、その変化の影響を受けて、高周波信号出力手段側において高周波信号の出力状態が変化するので工具の状態を検知することができる。そして、被加工物の加工が行われている途中であっても、また、工具にかかる負荷が小さい場合でも検知することができる。更に、高周波信号を、工具側に対して非接触状態で供給することができるので、工具側が回転することに伴って磨耗するような部材が無く、安定した状態で供給することができる。
【００４７】
請求項２記載の工具状態検知装置によれば、工具の状態として、工具の折損を検知するので、折損を速やかに検知して対応することができる。
請求項３記載の工具状態検知装置によれば、固定側電極側に、高周波信号の伝送線路のインピーダンスを調整するためのインピーダンス調整手段を配置したので、伝送線路のインピーダンスを調整して整合を取るようにすれば、高周波信号を反射が生じない状態にして工具側に伝送することができ、変化状態の観測を容易に行なうことができる。
【００４８】
請求項４記載の工具状態検知装置によれば、高周波信号出力手段側における電圧定在波比を測定することで工具の状態を検知するので、工具の状態が変化した場合に伝送線路のインピーダンスが整合状態から外れて反射波が発生したことを検出すれば、工具の状態を容易に検知することができる。
【００４９】
請求項５記載の工具状態検知装置によれば、整流素子を、絶縁体の内部に埋め込んだ状態で配置するので、整流素子を工具側電極と工具部との間に容易に接続することができる。また、主軸を回転させて加工を行う場合に、振動などにより整流素子が脱落することを防止できる。
【００５０】
請求項６記載の工具状態検知装置によれば、固定側電極と工具側電極との間に圧縮空気を送出するための圧縮空気送出手段を備えるので、両者の隙間にクーラント液や加工により発生する切削屑などが入ることで短絡が発生することを防止できる。
【図面の簡単な説明】
【図１】本発明の一実施例であり、工作機械の構成を概略的に示すと共に、工具状態検知装置の構成を示す図
【図２】（ａ）は工具部の拡大図、（ｂ）は２つの電極の配置関係を示す断面図
【図３】インピーダンス調整部の構成を示す等価回路図
【図４】（ａ）は、固定側電極部の構成を示す斜視図、（ｂ）は同一部を透視して示す平面図
【図５】（ａ）は測定系の構成を電気的接続関係を中心として示すもので、（ｂ）はその等価回路図
【符号の説明】
３はスピンドル（主軸）、１２は工具、１５は工具部、１６は絶縁体、１７は工具側電極、１８はダイオード（整流素子）、１９は固定側電極、２０は高周波信号出力装置（高周波信号出力手段）、２１はＳＷＲメータ、２２はインピーダンス調整部（インピーダンス調整手段）、２７は圧縮空気送出装置（圧縮空気送出手段）、２８は溝（圧縮空気送出手段）、２９は貫通孔（圧縮空気送出手段）、５４は被加工物を示す。
【図１】
0004072377.tif 000002
【図２】
0004072377.tif 000003
【図３】
0004072377.tif 000004
【図４】
0004072377.tif 000005
【図５】
0004072377.tif 000006